(57)【要約】【課題】操作者が操作するつもりのない操作部を誤って操作すること（以下誤操作と称することもある）を抑制することが可能なリモコン装置を提供すること。【解決手段】複数の操作部１０と、人体が近接したことを検出するセンサを含む複数の検出部２０と、各検出部２０の状態に基づき、複数の操作部１０のうちの少なくとも一部の操作を無効とする制御手段３０と、を備えるリモコン装置１とする。前記複数の操作部１０のうちの少なくとも一部が、前記検出部２０としても機能するように構成されていればよい。【選択図】図２
2016082277.tif 000002
【特許請求の範囲】
【請求項１】
複数の操作部と、
人体が近接したことを検出するセンサを含む複数の検出部と、
前記各検出部の状態に基づき、前記複数の操作部のうちの少なくとも一部の操作を無効とする制御手段と、
を備える、リモコン装置。
【請求項２】
第一の面およびその反対側の第二の面に、それぞれ、前記操作部および前記検出部が設けられている、請求項１に記載のリモコン装置。
【請求項３】
前記各検出部の状態に基づき、前記第一の面および前記第二の面の一方側の面に手が位置すると判断された際には、前記制御手段によって当該一方側の面に設けられた全ての前記操作部の操作が無効とされる、請求項２に記載のリモコン装置。
【請求項４】
前記複数の検出部は、その少なくとも一部が所定方向に並ぶように設けられており、
前記第一の面および前記第二の面の一方側の面に設けられた前記所定方向に並ぶ全ての検出部がＯＮであるときには、前記制御手段によって前記一方側の面に設けられた全ての前記操作部の操作が無効とされ、
前記第一の面および前記第二の面の一方側の面に設けられ、前記所定方向に並ぶ検出部のうち、当該方向における外側に位置する検出部がＯＮであり、かつ当該方向における内側に位置する検出部がＯＦＦであるときには、前記制御手段によって前記一方側の面に設けられた一部の前記操作部の操作が無効とされる、請求項２に記載のリモコン装置。
【請求項５】
前記複数の操作部のうちの少なくとも一部が、前記検出部としても機能する、請求項１から請求項４のいずれか一項に記載のリモコン装置。
【発明の詳細な説明】
【技術分野】
【０００１】
本発明は、複数の操作部を備えるリモコン装置に関する。
【背景技術】
【０００２】
被制御機器に動作信号（コマンド）を送る種々のリモコン装置が公知である（例えば、下記特許文献１参照）。複数の操作部（スイッチ）を備えるリモコン装置において、リモコン装置を操作する者（以下操作者と称することもある）が、操作するつもりのない操作部を操作してしまうと、被制御機器の誤動作が発生してしまう。
【先行技術文献】
【特許文献】
【０００３】
【特許文献１】特開２００１−４９４号公報
【発明の概要】
【発明が解決しようとする課題】
【０００４】
本発明が解決しようとする課題は、操作者が操作するつもりのない操作部を誤って操作すること（以下誤操作と称することもある）を抑制することが可能なリモコン装置を提供することにある。
【課題を解決するための手段】
【０００５】
上記課題を解決するために本発明にかかるリモコン装置は、複数の操作部と、人体が近接したことを検出するセンサを含む複数の検出部と、前記各検出部の状態に基づき、前記複数の操作部のうちの少なくとも一部の操作を無効とする制御手段と、を備える。
【０００６】
第一の面およびその反対側の第二の面に、それぞれ、前記操作部および前記検出部が設けられているとよい。
【０００７】
前記各検出部の状態に基づき、前記第一の面および前記第二の面の一方側の面に手が位置すると判断された際には、前記制御手段によって当該一方側の面に設けられた全ての前記操作部の操作が無効とされるようにするとよい。
【０００８】
前記複数の検出部は、その少なくとも一部が所定方向に並ぶように設けられており、前記第一の面および前記第二の面の一方側の面に設けられた前記所定方向に並ぶ全ての検出部がＯＮであるときには、前記制御手段によって前記一方側の面に設けられた全ての前記操作部の操作が無効とされ、前記第一の面および前記第二の面の一方側の面に設けられ、前記所定方向に並ぶ検出部のうち、当該方向における外側に位置する検出部がＯＮであり、かつ当該方向における内側に位置する検出部がＯＦＦであるときには、前記制御手段によって前記一方側の面に設けられた一部の前記操作部の操作が無効とされるようにするとよい。
【０００９】
前記複数の操作部のうちの少なくとも一部が、前記検出部としても機能する構成であるとよい。
【発明の効果】
【００１０】
本発明にかかるリモコン装置は、複数の検出部の状態によって操作者の手の状態を判別し、それに応じて少なくとも一部の操作部の操作を無効とする。つまり、操作者が操作する意図のない操作部が誤操作されることが抑制される。
【００１１】
一方側の面およびその反対側の他方側の面の両方に操作部が設けられたものであると、一方側の面に設けられる操作部を操作しようとする際に、他方側の面に設けられた操作部がＯＮとなりやすいところ、本発明によればこのような操作しようとする面の反対側に設けられた操作部が誤操作されてしまうことが抑制される。
【００１２】
各検出部の状態に基づき、一方側の面に手が位置すると判断された際に、当該一方側の面に設けられた全ての操作部の操作が無効とされるようにすれば、他方側の面に設けられた操作部を操作しようとする際に、一方側の面に設けられた操作部が誤操作されてしまうことが抑制される。
【００１３】
一方側の面に設けられた所定方向に並ぶ全ての検出部がＯＮであるときには、操作者が他方側の面に設けられた操作部を操作しようとしていると判断し、一方側の面に設けられた全ての操作部の操作が無効とされる。つまり、操作する意図のない一方側の面に設けられた操作部が誤操作されてしまうことが抑制される。
一方、一方側の面に設けられ、所定方向に並ぶ検出部のうち、当該方向における外側に位置する検出部がＯＮであり、かつ当該方向における内側に位置する検出部がＯＦＦであるときには、操作者が一方側の面における所定範囲に設けられた操作部を操作しようとしていると判断し、一方側の面に設けられた一部の操作部の操作が無効とされる。つまり、操作する意図のない一方側の面における所定範囲に設けられた操作部が誤操作されてしまうことが抑制される。
【００１４】
複数の操作部のうちの少なくとも一部を、検出部として利用し、コストダウンを図ることもできる。また、この場合、操作部を検出部と同様の人体が近接したことを検出するセンサを含むものとしなければならず、操作部の誤操作が生じやすいという問題があるが、上記のように操作者の手の状態を判別することにより、操作する意図のない操作部が誤操作されてしまうことが抑制される。
【図面の簡単な説明】
【００１５】
【図１】本発明の実施形態にかかるリモコン装置の外観図である。
【図２】本発明の第一実施形態にかかるリモコン装置の操作部無効制御を示したフローチャートである。
【図３】本発明の第一実施形態にかかるリモコン装置の検出部のＯＮ・ＯＦＦ状態パターンを示した図である。
【図４】出力を比較することにより、手が位置する側を判断する構成を説明するための図である。
【図５】本発明の第二実施形態にかかるリモコン装置の操作部無効制御を示したフローチャートである。
【図６】本発明の第二実施形態にかかるリモコン装置の検出部のＯＮ・ＯＦＦ状態パターンを示した図である。
【図７】本発明の第三実施形態にかかるリモコン装置の操作部無効制御を示したフローチャートである。
【図８】本発明の第三実施形態にかかるリモコン装置の検出部のＯＮ・ＯＦＦ状態パターンを示した図である。
【図９】リモコン装置の操作態様を示した図である。
【図１０】リモコン装置の操作態様（図９とは異なる態様）を示した図である。
【発明を実施するための形態】
【００１６】
以下、本発明の一実施形態にかかるリモコン装置１（１ａ、１ｂ、１ｃ）について詳細に説明する。なお、特に明示した場合を除き、以下の説明における上下方向とは図１（ａ）〜図１（ｃ）における上下方向（リモコン装置１の長手方向）をいい、幅方向とは図１（ａ）、図１（ｂ）における横方向（リモコン装置１の短手方向）をいい、前後方向とは図１（ｃ）における横方向をいうものとする。
【００１７】
本発明の第一実施形態にかかるリモコン装置１ａは、人（操作者）が手に取って操作するタイプのものであって、操作部１０、検出部２０、および制御手段３０を備える。
【００１８】
操作部１０は、操作されることが被制御機器に動作命令（コマンド）を送信する契機となるスイッチである。本実施形態にかかるリモコン装置１ａは複数の操作部１０を有する。複数の操作部１０のそれぞれには、操作されたときに被制御機器に送信される動作命令が対応づけられている。操作者が対応づけられた動作を認識することができるよう、操作部１０表面４１に動作を示す文言やマーク等が記載されているとよい。当該各操作部１０に対応づけられた動作命令はどのようなものであってもよいため説明を省略する。リモコン装置１ａには、動作命令を送信するための送信手段（図示せず。公知の送信手段を適用することができる）が設けられている。
【００１９】
各操作部１０は、人体が近接したことを検出する近接センサ１１を含む。本実施形態におけるかかるセンサは、静電容量の変化を検出することによって人体が近接したことを判別する静電センサである。当該センサがＯＮとなること（人体が所定範囲内に近接し、静電容量の変化が所定量を超えたこと）をもって操作部１０が操作されたと判断する。なお、本明細書において、近接センサ１１がＯＮになるとは、設定された閾値以上の静電容量の変化が検出された状態にあることをいい、ＯＦＦとはそのような変化が検出されない状態にあることをいう。閾値は適宜変更可能である。また、近接センサ１１としてＨ（ＨＩＧＨ）・Ｌ（ＬＯＷ）のデジタル値出力しかできないようなセンサを用いた場合には、Ｈが出力されている場合をＯＮ、Ｌが出力されている場合をＯＦＦとすればよい。
【００２０】
操作部１０は、リモコン装置１ａの筐体４０の表面４１（前側の面）およびその反対側の面である裏面４２（後側の面）の両方に設けられている。本実施形態では、表面４１と裏面４２それぞれに複数の操作部１０が設けられている。具体的には、表面４１と裏面４２それぞれにおける幅方向の中央側に上下方向に並ぶ複数の操作部１０が設けられている。なお、ここでいう表・裏とは、形式的に面を区別するために付した付記的なものである（表面４１、裏面４２の一方が本発明における第一の面に相当し、他方が第二の面に相当する）。
【００２１】
本実施形態にかかるリモコン装置１ａは、複数の検出部２０を有する。各検出部２０は、人体が近接したことを検出する近接センサ２１を含む。本実施形態における当該センサは、操作部１０と同様の静電センサである。検出部２０は、リモコン装置１ａの筐体４０の表面４１および裏面４２の両方に設けられている。本実施形態では、表面４１と裏面４２それぞれに複数の検出部２０が設けられている。具体的には、表面４１と裏面４２それぞれにおける幅方向外側（操作部１０よりも外側）に上下方向に並ぶ複数の検出部２０が設けられている。つまり、検出部２０は、リモコン装置１ａの幅方向両側縁に沿うように位置する。本実施形態では、上下方向に並ぶ操作部１０と検出部２０の数は同じであり、操作部１０と二つの検出部２０が幅方向に並ぶ（操作部１０の幅方向外側に検出部２０が位置する）。
【００２２】
制御手段３０（本実施形態では基板に実装されたマイコン。図１には当該マイコンが実装された基板を制御手段３０として示す）は、各検出部２０からの信号を受信可能である（各検出部２０のＯＮ・ＯＦＦ状態を認識することが可能である）。この各検出部２０から受信する信号に基づき、各操作部１０を制御する。具体的には、複数の操作部１０のうちのいずれかを、操作されたとしても当該操作が無効となる状態になるよう制御する。本実施形態における制御手段３０は、リモコン装置１ａの筐体４０内部に収容されている。
【００２３】
当該制御手段３０によって少なくとも一部の操作部１０の操作を無効にする制御（操作部無効制御Ｓ１）の内容は次の通りである。
【００２４】
図２に示すように、いずれかの検出部２０がＯＮとなったかどうかが判断される（Ｓ１−１）。いずれかの検出部２０がＯＮとなっている場合（Ｓ１−１「Ｙｅｓ」）、一の操作部１０を挟んで幅方向に並ぶ二つの検出部２０がＯＮとなっているかどうかが判断される（Ｓ１−２）。操作者がリモコン装置１ａを操作しようと図９に示すような態様で手に取った場合、表面４１または裏面４２において、幅方向に並ぶ二つの検出部２０（図３（ａ）で示すＡとＢ、ＣとＤ、ＥとＦ、ＧとＨの少なくともいずれか）の両方がＯＮとなるはずである。つまり、本実施形態では、図３（ｂ）に示すように幅方向に並ぶ二つの検出部２０の両方がＯＮとなっている場合には操作者がリモコン装置１ａを手に取っているであろうと判断し、図３（ｃ）や図３（ｄ）に示すように両方がＯＮとなっていない場合（片方のみがＯＮとなっている場合等）には操作者がリモコン装置１ａを手に取っていない（操作者がリモコン装置１ａを手に取ること以外の何らかの理由で一または複数の検出部２０がＯＮとなった）と判断する。
【００２５】
なお、操作者がリモコン装置１ａを手に取ったかどうかの判断するための基準は、リモコン装置１ａ（筐体４０）全体の大きさや形状、検出部２０の数や検出部２０同士の間隔、各検出部２０が設けられる位置等に応じて変更してもよい。例えば、幅方向に並ぶ二つの検出部２０がＯＮとなり、かつ、ＯＮとなった二つの検出部２０が二組以上上下方向に隣接している場合（例えば、図３（ａ）に示すＡとＢ、ＣとＤがＯＮとなった場合）に、操作者がリモコン装置１ａを手に取ったと判断するようにしてもよい。また、ＯＮとなった幅方向に並ぶ二つの検出部２０が表面４１および裏面４２の両方に存在する場合には、操作者がリモコン装置１ａを手に取っていないと判断するようにしてもよい。
【００２６】
幅方向に並ぶ二つの検出部２０がＯＮとなっていると判断された場合（Ｓ１−２「Ｙｅｓ」）には、当該ＯＮとなった二つの検出部２０が位置する面が判断される（Ｓ１−３）。ＯＮとなった二つの検出部２０が位置する面が表面４１であると判断されたとき（Ｓ１−３「Ｙｅｓ」）には、手（親指を除く四本の指）の側に表面４１が位置するようにリモコン装置１ａを持ち、裏面４２に位置する操作部１０を操作しようとしている状態であろうと判断し、表面４１に設けられた全ての操作部１０の操作を無効とする表面操作無効状態を設定する（Ｓ１−４）。一方、ＯＮとなった二つの検出部２０が位置する面が裏面４２であると判断されたとき（Ｓ１−３「Ｎｏ」）には、手（親指を除く四本の指）の側に裏面が位置するようにリモコン装置１ａを持ち、表面に位置する操作部１０を操作しようとしている状態であろうと判断し、裏面４２に設けられた全ての操作部１０の操作を無効とする裏面操作無効状態を設定する（Ｓ１−５）。
【００２７】
表面操作無効状態または裏面操作無効状態が設定された後、ＯＮとなっていた検出部２０がＯＦＦとなったとき（Ｓ１−６「Ｙｅｓ」）には、設定されていた操作無効状態が解除される（Ｓ１−７）。
【００２８】
このように、本実施形態では、検出部２０によって表面４１・裏面４２のいずれの側に手（親指を除く四本の指）が位置するか、どちらの面に設けられた操作部１０を操作しようとしているかを判断し、操作しようとしている面ではない面に設けられた操作部１０の操作を無効（ＯＮとなっても動作命令を送信しない）とする。表面操作無効状態が設定された状態において、裏面４２に設けられた操作部１０がＯＮとなったときには、当該操作部１０に対応する動作命令が送信手段から送信されるが、表面４１に設けられた操作部１０がＯＮとなったときには、当該操作部１０に対応する動作命令は送信されない。裏面操作無効状態が設定された状態において、表面４１に設けられた操作部１０がＯＮとなったときには、当該操作部１０に対応する動作命令が送信手段から送信されるが、裏面４２に設けられた操作部１０がＯＮとなったときには、当該操作部１０に対応する動作命令は送信されない。このようにして、操作しようとしている面ではない面に設けられた操作部１０を誤操作してしまうことが防止されている。本実施形態のように、近接センサ１１によって操作部１０の操作を検出する構成である場合には、誤操作が発生しやすいため特に有用である。
【００２９】
なお、上記制御では、Ｓ１−４においては表面４１に設けられた全ての操作部１０の操作を無効とし、Ｓ１−５においては裏面４２に設けられた全ての操作部１０の操作を無効とすることを説明したが、上下方向における手（親指を除く四本の指）の位置を判断し、手が位置する部分の操作部１０（ＯＮとなっている検出部２０の間に位置する操作部１０）の操作を無効にするよう制御してもよい。つまり、表面４１または裏面４２に設けられた全ての操作部１０の操作を無効にするのではなく、手の位置を判断した上で、誤操作されてしまう蓋然性が高い操作部１０の操作のみを無効にする構成としてもよい。
【００３０】
また、本実施形態において、検出部２０の少なくとも一部が、操作部１０としての機能を果たす構成としてもよい。
【００３１】
また、図４に示すように、一方の面における検出部２０の状態と、他方の面における検出部２０の状態を比較し、一方の面における検出部２０からの出力が他方の面における検出部２０からの出力よりも大きい場合に、出力が大きい検出部２０が設けられた面側に手が位置すると判断してもよい（出力が小さい方の検出部２０が設けられた面側の操作部１０の操作を有効とする。図４に示した状態の場合には表面４１側の操作部１０の操作を有効とする）。つまり、ＯＮとＯＦＦとを区別する閾値を設定せず、一方の面側と他方の面側の出力を比較した上で、手が位置する側を判断するようにしてもよい。
【００３２】
以下、本発明の第二実施形態にかかるリモコン装置１ｂについて、上記第一実施形態と異なる点を中心に説明する。
【００３３】
上記第一実施形態では、検出部２０によって表面４１・裏面４２のいずれの側に手（親指を除く四本の指）が位置するか、どちらの面に設けられた操作部１０を操作しようとしているかを判断し、操作しようとしている面ではない面に設けられた操作部１０の操作を無効とすることを説明したが、図１０に示すように、操作者が手首を反すような態様でリモコンを持って操作することもある点を踏まえ、それに対応するような制御手段３０による制御がなされるものである。
【００３４】
本実施形態における制御手段３０によって少なくとも一部の操作部１０の操作を無効にする制御（操作部無効制御Ｓ２）の内容は次の通りである。なお、本制御では、操作部１０を検出部２０として利用する。つまり、幅方向において、三つの検出部２０が並んだ状態にある（図６（ａ）参照）。
【００３５】
図５に示すように、いずれかの検出部２０がＯＮとなったかどうかが判断される（Ｓ２−１）。いずれかの検出部２０がＯＮとなっている場合（Ｓ２−１「Ｙｅｓ」）、幅方向に並ぶ三つの検出部２０のうち、いずれかの組み合わせが全てＯＮとなっているかどうかが判断される（Ｓ２−２）。操作者がリモコン装置１ｂを操作しようと図９に示すように手に取った場合、表面４１または裏面４２において、幅方向に並ぶ三つの検出部２０（図６におけるＡとＢとＣ、ＤとＥとＦ、ＧとＨとＩ、ＪとＫとＬの少なくともいずれか）の全てがＯＮとなるはずである。つまり、本実施形態では、図６（ｂ）に示すように幅方向に並ぶ三つの検出部２０がＯＮとなっている場合には操作者がリモコン装置１ｂを図９に示すような態様で手に取っているであろうと判断する。
【００３６】
幅方向に並ぶ三つの検出部２０がＯＮとなっていると判断された場合（Ｓ２−２「Ｙｅｓ」）には、当該ＯＮとなった三つの検出部２０が位置する面が判断される（Ｓ２−３）。ＯＮとなった三つの検出部２０が位置する面が表面４１であると判断されたとき（Ｓ２−３「Ｙｅｓ」）には、手（親指を除く四本の指）の側に表面４１が位置するようにリモコン装置１ｂを持ち、裏面４２に位置する操作部１０を操作しようとしている状態であろうと判断し、表面４１に設けられた全ての操作部１０の操作を無効とする表面操作無効状態を設定する（Ｓ２−４）。一方、ＯＮとなった三つの検出部２０が位置する面が裏面４２であると判断されたとき（Ｓ２−３「Ｎｏ」）には、手（親指を除く四本の指）の側に裏面４２が位置するようにリモコン装置１ｂを持ち、表面４１に位置する操作部１０を操作しようとしている状態であろうと判断し、裏面４２に設けられた全ての操作部１０の操作を無効とする裏面操作無効状態を設定する（Ｓ２−５）。
【００３７】
なお、上記制御では、Ｓ２−４においては表面４１に設けられた全ての操作部１０の操作を無効とし、Ｓ２−５においては裏面４２に設けられた全ての操作部１０の操作を無効とすることを説明したが、上下方向における手（親指を除く四本の指）の位置を判断し、手が位置する部分の操作部１０（ＯＮとなっている検出部２０の間に位置する操作部１０）の操作を無効にするよう制御してもよい。つまり、表面４１または裏面４２に設けられた全ての操作部１０の操作を無効にするのではなく、手の位置を判断した上で、誤操作されてしまう蓋然性が高い操作部１０の操作のみを無効にする構成としてもよい。
【００３８】
一方、Ｓ２−２において、幅方向に並ぶ三つの検出部２０がＯＮとなっていないと判断された場合（Ｓ２−２「Ｎｏ」）には、幅方向外側に位置する二つの検出部２０のうち、いずれかの組み合わせが両方ともＯＮとなっているかどうかが判断される（Ｓ２−６）。操作者がリモコン装置１ｂを操作しようと図１０に示すように手に取った場合、手のひらの中央が浮いた状態にあるため、表面４１または裏面４２において、幅方向外側に位置する二つの検出部２０（図６（ａ）におけるＡとＣ、ＤとＦ、ＧとＩ、ＪとＬの少なくともいずれか）がＯＮとなり、ＯＮとなった検出部２０の間に位置する中央の検出部２０（図６（ａ）におけるＢ、Ｅ、Ｈ、Ｋ）がＯＦＦとなる（幅方向外側に位置する検出部２０よりも出力が小さくなる）はずである。つまり、本実施形態では、図６（ｃ）に示すように幅方向外側に位置する二つの検出部２０がＯＮとなっており、かつ、ＯＮとなった検出部２０の間に位置する検出部２０（本実施形態では操作部１０を兼ねている）がＯＦＦである場合には操作者がリモコン装置１ｂを図１０に示すような態様で手に取っているであろうと判断する。
【００３９】
幅方向外側に位置する二つの検出部２０がＯＮとなっていると判断された場合（Ｓ２−６「Ｙｅｓ」）には、当該ＯＮとなった二つの検出部２０が位置する面が判断される（Ｓ２−７）。ＯＮとなった二つの検出部２０が位置する面が表面４１であると判断されたとき（Ｓ２−７「Ｙｅｓ」）には、表面４１側に手のひらが位置する図１０に示すような態様で、ＯＮとなった二つの検出部２０の間に位置する操作部１０（手のひらで覆われているであろう操作部１０）以外の表面４１側の操作部１０を操作しようとしている状態であろうと判断し、表面４１に設けられた一部の操作部１０の操作を無効とする表面一部操作無効状態を設定する（Ｓ２−８）。一方、ＯＮとなった二つの検出部２０が位置する面が裏面４２であると判断されたとき（Ｓ２−７「Ｎｏ」）には、裏面４２側に手のひらが位置する図１０に示すような態様で、ＯＮとなった二つの検出部２０の間に位置する操作部１０（手のひらで覆われているであろう操作部１０）以外の裏面４２側の操作部１０を操作しようとしている状態であろうと判断し、裏面４２に設けられた一部の操作部１０の操作を無効とする裏面一部操作無効状態を設定する（Ｓ２−９）。
【００４０】
例えば、表面４１または裏面４２において、図６（ａ）に示すＡとＣ、ＤとＦという検出部２０がＯＮ、ＧとＩ、ＪとＬという検出部２０がＯＦＦであるのであれば、Ｂ、Ｅの操作部１０の操作を無効とし、Ｈ、Ｋの操作部１０の操作を有効とするように設定する。
【００４１】
ただし、操作を無効にする操作部１０は、ＯＮとなった二つの検出部２０の間の操作部１０以外の操作部１０が含まれていてもよい。表面４１または裏面４２において、図６（ａ）に示すＡとＣ、ＤとＦという検出部２０がＯＮ、ＧとＩ、ＪとＬという検出部２０がＯＦＦであるのであれば、Ｂ、Ｅの操作部１０の操作を無効とするだけでなく、それに近い側に位置するＨの操作部１０の操作を無効とするような設定手法としてもよい。
【００４２】
なお、Ｓ２−８の表面一部操作無効状態の設定時に、裏面４２に設けられた操作部１０は操作しようとする操作部１０ではないと判断し、裏面４２に設けられた全ての操作部１０の操作を無効にする設定を併せて行ってもよい。同様に、Ｓ２−９の裏面一部操作無効状態の設定時に、表面４１に設けられた操作部１０は操作しようとする操作部１０ではないと判断し、表面４１に設けられた全ての操作部１０の操作を無効にする設定を併せて行ってもよい。
【００４３】
それ以外の場合（例えば、検出部２０の出力が図６（ｄ）、図６（ｅ）に示すような状態の場合）には、操作無効状態が設定されない。
【００４４】
いずれかの操作無効状態が設定された後、ＯＮとなっていた検出部２０がＯＦＦとなったとき（Ｓ２−１０「Ｙｅｓ」）には、設定されていた操作無効状態が解除される（Ｓ２−１１）。
【００４５】
このように、本実施形態では、幅方向に並ぶ三つの検出部２０全てがＯＮとなっている場合には、図９に示すような態様で操作者がリモコン装置１ｂを手に取っているであろうと判断し、操作しようとしている面ではない面に設けられた操作部１０の操作を無効とする。一方、幅方向に並ぶ三つの検出部２０全てがＯＮとなっておらず、幅方向外側に位置する二つの検出部２０がＯＮとなっている場合、すなわちＯＮとなっている検出部２０の間に位置する検出部２０がＯＦＦの状態である場合には、図１０に示すような態様で操作者がリモコン装置１ｂを手に取っているであろうと判断し、手のひらが位置する側の面の一部の操作部１０の操作を無効とする。つまり、本実施形態では、検出部２０の状態に基づき、リモコン装置１ｂを手に取る態様を判断（推測）し、当該態様に基づいて操作を無効にする操作部１０を決定する。
【００４６】
また、本実施形態では、検出部２０と同様の近接センサ１１を含む操作部１０を、検出部２０としても利用するものであるから、検出部２０（近接センサ２１）の数を少なくすることができ、コストダウンに資する。ただし、幅方向中央側に位置する検出部２０を操作部１０とは別に設けた構成としてもよい。また、幅方向外側に位置する検出部２０の少なくとも一部が、操作部１０としての役割を果たす構成としてもよい。
【００４７】
また、幅方向外側に設けられる二つの検出部２０に対し、幅方向中央側に二以上の検出部２０を設けた構成としてもよい。
【００４８】
以下、本発明の第三実施形態にかかるリモコン装置１ｃについて、上記第一実施形態と異なる点を中心に説明する。
【００４９】
本実施形態にかかるリモコン装置１ｃは、ある一の面にのみ複数の操作部１０が設けられたものである。操作部１０が設けられた面には、操作部１０の幅方向外側に位置する検出部２０が設けられている。本実施形態における制御手段３０によって少なくとも一部の操作部１０の操作を無効にする制御（操作部無効制御Ｓ３）の内容は次の通りである。
【００５０】
図７に示すように、いずれかの検出部２０がＯＮとなったかどうかが判断される（Ｓ３−１）。いずれかの検出部２０がＯＮとなっている場合（Ｓ３−１「Ｙｅｓ」）、幅方向に並ぶ二つの検出部２０のうち、いずれかの組み合わせが全てＯＮとなっているかどうかが判断される（Ｓ３−２）。操作者がリモコン装置１ｃを操作しようと図１０に示すように手に取った場合、表面４１または裏面４２において、幅方向に並ぶ二つの検出部２０（図８（ａ）に示すＡとＢ、ＣとＤ、ＥとＦ、ＧとＨの少なくともいずれか）の両方がＯＮとなるはずである。つまり、本実施形態では、図８（ｂ）に示すように幅方向に並ぶ二つの検出部２０がＯＮとなっている場合には操作者がリモコン装置１ｃを図１０に示すような態様で手に取っているであろうと判断する。
【００５１】
幅方向に並ぶ二つの検出部２０がＯＮとなっていると判断された場合（Ｓ３−２「Ｙｅｓ」）には、図１０に示すような態様で、ＯＮとなった二つの検出部２０の間に位置する操作部１０（手のひらで覆われているであろう操作部１０）以外の操作部１０を操作しようとしている状態であろうと判断し、一部の操作部１０の操作を無効とする一部操作無効状態を設定する（Ｓ３−３）。
【００５２】
具体的には、表面４１または裏面４２において、図８（ａ）に示すＡとＢ、ＣとＤという検出部２０がＯＮ、ＥとＦ、ＧとＨという検出部２０がＯＦＦであるのであれば、ＡとＢ、ＣとＤの間に設けられた操作部１０の操作を無効とし、ＥとＦ、ＧとＨの間に設けられた操作部１０の操作を有効とするように設定する。
【００５３】
ただし、操作を無効にする操作部１０は、ＯＮとなった二つの検出部２０の間の操作部１０以外の操作部１０が含まれていてもよい。図８（ａ）に示すＡとＢ、ＣとＤという検出部２０がＯＮ、ＥとＦ、ＧとＨという検出部２０がＯＦＦであるのであれば、ＡとＢ、ＣとＤの間に設けられた操作部１０の操作を無効とするだけでなく、それに近い側に位置するＥとＦの間に設けられた操作部１０の操作を無効とするような設定手法としてもよい。
【００５４】
それ以外の場合（例えば、検出部２０からの出力が図８（ｃ）、図８（ｄ）に示すような状態の場合）には、操作無効状態が設定されない。
【００５５】
このように、ある一つの面に複数の操作部１０が設けられた構成であっても、操作する意図のない操作部１０の操作を無効とすることにより、当該操作部１０が誤操作されてしまうのが抑制される。
【００５６】
以上、本発明の実施形態について詳細に説明したが、本発明は上記実施形態に何ら限定されるものではなく、本発明の要旨を逸脱しない範囲で種々の改変が可能である。
【００５７】
例えば、上記実施形態にかかるリモコン装置１は、操作部１０が静電センサを含み、当該センサによって人体（操作者の手）の近接を検出するものであることを説明したが、操作を検出する手法はどのようなものであってもよい。操作部１０が物理的なスイッチを有するものであってもよい。ただし、上記第二実施形態のように操作部１０が検出部２０を兼ねる構成とするのであれば、静電センサのような人体の近接を検出することが可能なものであることが望ましい。
【００５８】
上記実施形態にかかるリモコン装置１は、表面４１側の構成と裏面４２側の構成が同じであるが、異なっている場合にも同様の技術思想が適用可能である。
【符号の説明】
【００５９】
１  リモコン装置
１０  操作部
１１  近接センサ
２０  検出部
２１  近接センサ
３０  制御手段
４０  筐体
４１  表面
４２  裏面
【図１】
2016082277.tif 000003
【図２】
2016082277.tif 000004
【図３】
2016082277.tif 000005
【図４】
2016082277.tif 000006
【図５】
2016082277.tif 000007
【図６】
2016082277.tif 000008
【図７】
2016082277.tif 000009
【図８】
2016082277.tif 000010
【図９】
2016082277.tif 000011
【図１０】
2016082277.tif 000012